(57)【要約】      【課題】防塵服内の空気圧の上昇を緩和し、開口部からの塵埃等の流出を抑制して作業対象物の汚染や損傷を防止するとともに着用感と動作性に優れたクリーンルーム用防塵服を提供する。      【解決手段】上衣部と下衣部とが一体形成されたクリーンルーム用の防塵服において、適宜巾からなる帯状のメッシュ体に、これより狭巾からなるウエストベルトを伸縮自在に止着し、該メッシュ体を腰周り内側にその縁辺部をもって縫着する。そして、胸周り部を外布と内布との二重構造とし、内衣の中間に伸縮部材を周設する。また、袖口及び裾口をそれぞれ内袖と外袖及び内裾と外裾との二重構造とし、内袖及び内裾を上下二箇所で止着支持するとともにその中間にゴムバンド等の伸縮部材を周設する。      【選択図】  図２
2008202180.tif 000002
【特許請求の範囲】
【請求項１】
上衣部と下衣部とが一体形成されたクリーンルーム用の防塵服であって、適宜巾からなる帯状のメッシュ体に、これより狭巾からなる伸縮ウエストベルトをその長手方向中央に伸縮自在に止着し、該伸縮ウエストベルトが止着されたメッシュ体を、上衣部と下衣部との境目附近内周側にその縁辺部をもって縫着してなることを特徴とするクリーンルーム用防塵服。
【請求項２】
上衣部と下衣部とが一体形成されたクリーンルーム用の防塵服であって、腰周り上方から脇周りにかけての上衣部分を外布と内布との二重構造とし、前記内布の中間にゴムバンド等の伸縮部材を周設してなることを特徴とするクリーンルーム用防塵服。
【請求項３】
袖口部寄りを外袖と内袖との二重袖構造としたクリーンルーム用の防塵服であって、内袖の一方開口周縁部を外袖の内側にあって袖口部近傍に止着するとともに他方開口周縁部を外袖の内側所定部位に止着し、前記内袖の中間にゴムバンド等の伸縮部材を周設してなることを特徴とするクリーンルーム用防塵服。
【請求項４】
裾口部寄りを外裾と内裾との二重裾構造としたクリーンルーム用の防塵服であって、内裾の一方開口周縁部を外裾の内側にあって裾口部近傍に止着するとともに他方開口周縁部を外裾内側の所定部位に止着し、前記内裾の中間にゴムバンド等の伸縮部材を周設してなることを特徴とするクリーンルーム用防塵服。
【請求項５】
前記請求項４のクリーンルーム用防塵服において、内裾の素材にメッシュ地を用いたことを特徴とするクリーンルーム用防塵服。
【発明の詳細な説明】
【技術分野】
【０００１】
本発明は、医療機器、医薬品、食品、半導体、電子機器等の製造工程において、作業者の身体や着衣から発生する塵埃等によって作業対象物が汚染または損傷されることを防止するためのクリーンルーム用防塵服に関する。
【背景技術】
【０００２】
クリーンルームなど限りなく無塵性が要求されている作業空間にあっては、作業者の身体や着衣から発生する塵埃等が作業空間に流出することによって作業対象物を損傷又は汚染しないよう防塵服の着用が求められている。したがって、この種の防塵服にあっては、防塵服そのものに発塵性が無いことはもちろん、通気性が低く作業者と作業空間との遮断効果の高い素材が用いられている。また、密封性を高めるため襟口、袖口、裾口などの開口部分はゴムバンド等の伸縮部材が配設されるなどしてその密封性を高めている。
【０００３】
従来の標準的なクリーンルーム用防塵服の一例について、図１に基づいて説明すると、防塵服本体３１は、着用者の腰から上を覆う上衣部３２と腰から下を覆う下衣部３３とが一体となっているつなぎ態様の防塵服で、上衣部３２の襟元から下方向に着脱用のスライドファスナー３４が設けられている。そして、上衣部３２の襟口はスタンドカラー３５となっていて、その両端に一対の面フック＆ループ（登録商標「マジックテープ」以下同様）３６が取り付けら襟元開口の閉塞を図っている。
【０００４】
また、袖口部３７及び裾口部３８は、それぞれ外袖３７ａと内袖３７ｂ、外裾３８ａと内裾３８ｂとの二重構造となっていて、内袖３７ｂと内裾３８ｂの開口部分にはゴムバンド等の伸縮部材３９が内設されその閉塞を図っている。また、腰周り附近には着用感と動作性を考慮してゴムバンド等からなる伸縮ウエストベルト４０が配設されている。
【０００５】
このように、従来のクリーンルーム用防塵服にあっても、それなりの密封性、遮断性を満たしている。しかしながら、防塵服の素地そのものに通気性が無いため、作業中の動作により防塵服内の圧力が上昇し、そのポンピング作用によって各開口部分の密閉状態が解除され空気が外部に流出し、それに伴って防塵服内の塵埃がクリーンルームに漏出してしまうことは防ぎきれない。
【０００６】
防塵服内の空気圧力の上昇は、必ずしも防塵服内全体で均一的に起こるのではなく、着用者の動作に応じて局所的に圧力が上昇するもので、通例は作業動作の多い上半身を覆う上衣部３２内で起こることが多い。この場合、着用感と動作性を考慮して腰回りに付けた伸縮ウエストベルト４０が、上衣部３２と下衣部３３との間における空気の流通を遮断してしまい、その結果、塵埃を含む空気が排出されてしまう部位は、構造上密閉状態を保つための締付力が最も制約される襟口に集中してしまう傾向にある。空気の流出が襟口に集中してしまうと、空気の流出力がより強くなるため防塵服内の塵埃もより多く放出され、しかも、防塵服において襟口が最も高い位置の開口部に当たることから、放出された塵埃の拡散範囲もより広くなってしまう不都合がある。
【０００７】
このような不都合を解消するため、伸縮ウエストベルト４０を跨いで別に通気路４１等を設けているものも見られるが、この場合、通気路４１の設定箇所や巾等に制約や限界があって必ずしも十分な効果を上げていない。仮に上記のような従来の方法で効果的な通気を確保しようとすれば通気路４１の数を多くせざるを得ず、その結果、縫製加工に手間がかかりコスト高になってしまう欠点がある。
【０００８】
クリンルーム用防塵服に関しては、以下のとおりの提案がなされているが、前記不都合を解決するに至ったものはない。
【特許文献１】特開平０７−０４１２０９
【特許文献１】特開平１１−１８９９０４
【特許文献１】特開２００１−２８８６１０
【特許文献１】特開２００１−２９５１１０
【特許文献１】特開２００１−２９５１２７
【特許文献１】特開２００１−３０３３１４
【特許文献１】特開２００１−３０３３１５
【特許文献１】特開２００３−０７３９１２
【特許文献１】特開２００６−１４４１８９
【発明の開示】
【発明が解決しようとする課題】
【０００９】
本発明は、上記従来の防塵服の欠点に鑑みなされたもので、作業動作による防塵服内の圧力上昇を緩和し、開口部からの空気及びそれに伴う塵埃の外部流出を抑え作業対象物の汚染及び損傷を防止するとともに、着用感と動作性に優れたクリーンルーム用防塵服の提供を課題とする。
【課題を解決するための手段】
【００１０】
上記課題を解決するため、請求項１の発明にあっては、上衣部と下衣部とが一体形成されたクリーンルーム用の防塵服において、上衣部と下衣部との境目（腰回り）附近の内周側に、伸縮ウエストベルトをその長手方向中央に伸縮自在に止着したより広巾の帯状のメッシュ体をその縁辺部をもって縫着してなる。これによって上衣部と下衣部との間の空気の流通を可能とした。
【００１１】
請求項２の発明にあっては、上衣部と下衣部とが一体形成されたクリーンルーム用の防塵服において、上衣部の腰周り上方から脇周りにかけての部分を外布と内布との二重布構造とし、内布の中間にゴムバンド等の伸縮部材を周設してなることを特徴とする。これによって、前記伸縮部材を境に空気の上下流通を阻止する。
【００１２】
請求項３の発明にあっては、上衣部の袖口部寄りを外袖と内袖との二重袖構造としたクリーンルーム用の防塵服において、内袖の一方開口周縁部を外袖の内側にあって袖口部近傍に止着するとともに他方開口周縁部を外袖の内側所定部位に止着し、前記内袖の中間にゴムバンド等の伸縮部材を周設したことを特徴とする。これによって、伸縮部材による支え位置の上下変動を抑制する。
【００１３】
請求項４の発明にあっては、下衣部の裾口部寄りを外裾と内裾との二重裾構造としたクリーンルーム用の防塵服において、内裾の一方開口周縁部を外裾の内側にあって裾口部近傍に止着するとともに他方開口周縁部を外裾内側の所定部位に止着し、前記内裾の中間にゴムバンド等の伸縮部材を周設してなることを特徴とする。これによって、伸縮部材による支え位置の上下変動を抑制し裾部分の床擦れを防止する。
【００１４】
請求項５の発明にあっては、前記請求項４のクリーンルーム用防塵服において、内裾の素材にメッシュ地を用いる。これによって、やむを得ない空気の流出を裾口部分に誘導する。
【発明の効果】
【００１５】
本発明にかかるクリーンルーム用防塵服にあっては、伸縮ウエストベルトはより巾広の帯状メッシュ体に止着され、さらに、この帯状メッシュ体は防塵服本体と遊離した状態で取り付けられているため、伸縮ウエストベルト及び帯状のメッシュ体と防塵服本体との間には遊離間隙が形成される（請求項１）。したがって、着用時、伸縮ウエストベルトが着用者の腰周りを締め付ける状態になっても伸縮ウエストベルトが空気の流通を妨げることはなく、伸縮ウエスベルトが配設されていないメッシュ体の上下縁辺部から前記遊離間隙を通って上衣部と下衣部との間で空気の相互流通が可能となっている。その結果、上衣部と下衣部での空気圧の平準化が図れ、防塵服開口部（特に襟口）からの空気の流出及びそれに伴う塵埃等の漏出をより有効に防止することができる。
【００１６】
また、腰周り上方から脇周りにかけての上衣部分を外布と内布との二重構造とし、内布の中間にゴムバンド等の伸縮部材を周設しているため（請求項２）、この伸縮部材による締め付け作用により胸から下方部分で発生する塵埃等の襟口からの流出をより有効に防止することができる。
【００１７】
また、上衣部両袖の袖口部寄りを外袖と中間にゴムバンド等の伸縮部材を周設した内袖との二重袖構造とし、この内袖を外袖の内側にあって袖口部近傍と外袖所定部位との二箇所にて止着支持しているため（請求項３）、伸縮部材による手首部分の支え位置の上下変動が抑制され着用感や作業性が向上する。
【００１８】
また、下衣部両裾口部寄りを外裾と中間にゴムバンド等の伸縮部材を周設した内裾との二重裾構造とし、この内裾を外裾の内側にあって裾口部近傍と外裾所定部位との二箇所にて止着支持しているため（請求項４）、伸縮部材による足首部分の支え位置の上下変動が抑制され、着用者の股下サイズの長短に拘わらず足首（くるぶし）部分から下方に位置する裾の長さが固定される。したがって、裾下部分が余分に垂れ下がり床擦れ等を生じさせることがない。
【００１９】
また、前記（請求項４）の発明にあって、内裾の素材にメッシュ地を用いたことによって（請求項５）、やむを得ない空気の流出を裾口部分に誘導することができるので、少なくとも、防塵服において最も高位置にある襟口からの空気の流出及びそれに伴う塵埃等の漏出を阻止することができる。
【発明を実施するための最良の形態】
【００２０】
以下、本発明の実施形態について説明する。図２乃至図５は本発明に係る実施形態の一例を示すもので、図２は本実施形態によるクリーンルーム用防塵服の全体正面図、図３は同防塵服の腰周りから胸周りにかけての一部切り欠き説明図及び同部分断面図、図４は同防塵服の袖口附近の一部切り欠き説明図及び同部分断面図、図５は同防塵服の裾口附近の一部切り欠き説明図及び同部分断面図である。
【００２１】
防塵服本体１は、図２で示すように、着用者の腰から上を覆う上衣部２と、着用者の腰から下を覆う下衣部３とが一体となった所謂つなぎ形態の服（続服）で、上衣部２の前身頃片方寄りには襟元から下方に着脱用のスライドファスナー４が設けられている。また、上衣部２の襟元はスタンドカラー５となっていて、その両開口端付近には襟元閉塞用の一対の面フック＆ループ６が取り付けられている。
【００２２】
そして、腰周りには作業者の着用感と作業動作性を考慮してゴムバンド等からなる伸縮ウエストベルト７が備えられている。この伸縮ウエストベルト７は、その左右両縁部を除き防塵服本体１に直接止着されているのではなく、伸縮ウエストベルト７より広い巾からなる通気性ある帯状のメッシュ体８の長手方向中央部分に伸縮自在に縫着されているものである。そして、メッシュ体８は、上衣部２と下衣部３との境目（腰周り）附近内周側に縁辺部をもって縫合止着されている。
【００２３】
このように、伸縮ウエストベルト７はより巾広のメッシュ体８に止着され、さらに、このメッシュ体８は防塵服本体１と遊離した状態で取り付けられているため、伸縮ウエストベルト７及びメッシュ体８と防塵服本体１との間には遊離間隙９が形成される。したがって、着用者の腰周りをウエストベルト７が締め付ける状態になったとしても、伸縮ウエスベルト７が配設されていないメッシュ体８の上下縁辺部８ａ又は８ｂの一方から高圧空気が流入し、前記遊離間隙９を通って他方の上下縁辺部８ａ又は８ｂ流出する空気流路が確保される。
【００２４】
また、上衣部２は、その腰周り上方から脇周りにかけて外布２ａと内布２ｂとからなる二重布構造となっていて、内布２ｂは筒状の布地をその両開口縁端部をもって外布２ａの内側に縫着したものである。なお、内布２ｂの上下巾（縦巾）は外布２ａの対応縦巾よりやや広めに設定し適度な遊びを持たせておくのが好ましい。そして、内布２ｂの中間やや脇周り寄りにはゴムバンド１０が伸縮自在に周着されている。
【００２５】
また、上衣部の両袖１１は、外袖１１ａと内袖１１ｂとの二重袖構造となっている。内袖１１ｂは所定巾からなる布地を筒状に形成したものであって、その一方開口周縁部を外袖１１ａの内側にあって袖口部１１ｃの近傍に止着し、他方の開口周縁部を外袖１１ａの内側にあって肘より下位に当たる所定箇所にやや遊びを持たせた状態で止着したものである。そして、内袖１１ｂの中間やや袖口部１１ｃ寄りにはゴムバンド１２が伸縮自在に周着されている。なお、袖口部１１ｃは、外袖１１ａの開口縁部を折り返し袋状に縫製した部位で、ゴムバンド１３が伸縮自在に内設されている。
【００２６】
一方、下衣部の両裾１４は、前記上衣部両袖１１と同様に、外裾１４ａと内裾１４ｂとの二重裾構造となっている。内裾１４ｂは所定巾からなる布地を筒状に形成したものであって、その一方開口周縁部を外裾１４ａの内側にあって裾口部１４ｃの近傍に止着し、他方の開口周縁部を外裾１４ａの内側にあって膝より下位に当たる所定箇所にやや遊びを持たせた状態で止着したものである。そして、内裾１４ｂの略中央にはゴムバンド１５が伸縮自在に周着されている。
【００２７】
なお、本実施態様においては、内裾１４ｂの長さ（前後巾）を約１０ｃｍとしたが、特にこれに限定されるものではなく、より長い又はより短い内裾を用いる場合にあっては、ゴムバンド１５の周着位置を適宜調整すれば良く、好ましくは裾開口端より５ｃｍ乃至１０ｃｍ程の位置に周着するのがよい。また、本実施態様においては、避けられない空気の流出を敢えて裾口部に誘導するため、内裾１４ｂの素材を通気性のあるメッシュ地としたが、特にこれに限定されるものではなく、一般に防塵服の素材として用いられているものの外、服素材として適用可能なものであればよい。
【００２８】
以上のとおり、本発明に係るクリーンルーム用防塵服にあっては、着用感や動作性に優れているだけではなく、防塵服内の空気圧を均一化してその上昇を抑制し、高位置にある襟口又は袖口からの空気の流出及びそれに伴う塵埃等の漏洩を効果的に防止することができ、特に、高位置からの塵埃の流出拡散を嫌うダウンストリーム型クリーンルームにおいてはより有用である。
【図面の簡単な説明】
【００２９】
【図１】クリーンルーム用防塵服の従来例を示す全体正面図。
【図２】本発明に係るクリーンルーム用防塵服の全体正面図。
【図３】同防塵服の腰周りから胸周りにかけての一部切欠説明図及び同部分断面図。
【図４】同防塵服の袖口附近の一部切り欠き説明図及び同部分断面図
【図５】同防塵服の裾口附近の一部切り欠き説明図及び同部分断面図
【符号の説明】
【００３０】
１：防塵服本体
２：上衣部
２ａ：外布
２ｂ：内布
３：下衣部
４：スライドファスナー
５：スタンドカラー
６：面フック＆ループ
７：伸縮ウエストベルト
８：メッシュ体
９：遊離間隙
１０：ゴムバンド
１１ａ：外袖
１１ｂ：内袖
１２、１３：ゴムバンド
１４ａ：外裾
１４ｂ：内裾                 
１５：ゴムバンド
【図１】
2008202180.tif 000003
【図２】
2008202180.tif 000004
【図３】
2008202180.tif 000005
【図４】
2008202180.tif 000006
【図５】
2008202180.tif 000007